(57)【要約】建築物の内装又は外装材料として使用されるブロックデッキに関し、より詳細には、内部に中空を形成し、中空をコンクリートで充填することによって優れた強度を示すコンクリートを用いたブロックデッキに関して開示する。本発明は、内部に中空を形成している骨格材と、前記中空に充填されるコンクリート材質の充填材とを含むブロックデッキを提供する。このとき、コンクリートは、強度に応じて発泡が可能であり、このときの発泡率は０％〜５０％の範囲であって、前記骨格材は天然木材、合成木材、合成樹脂材質で形成することができる。そして、骨格材は一体型で形成したり、２個又はそれ以上に分割形成して結合したりすることができ、スライディング方式で嵌められて結合される。【選択図】図１
2013527347.tif 000002
【特許請求の範囲】
【請求項１】
内部に中空を形成している骨格材と、
前記中空に充填されるコンクリート材質の充填材と、を含むブロックデッキ。
【請求項２】
前記コンクリートは発泡率が０〜５０％の範囲であることを特徴とする、請求項１に記載のブロックデッキ。
【請求項３】
前記骨格材は天然木材、合成木材、合成樹脂から選ばれる一つの材質であることを特徴とする、請求項１に記載のブロックデッキ。
【請求項４】
前記合成木材はポリオレフィン、ポリプロピレン、ＡＢＳ、ＰＶＣから選ばれるプラスチックに、木粉又は籾殻が高温で混合・溶融されて押出形成されることを特徴とする、請求項３に記載のブロックデッキ。
【請求項５】
前記骨格材は一体型で形成されることを特徴とする、請求項１に記載のブロックデッキ。
【請求項６】
前記骨格材は２個又はそれ以上に分割形成されて結合されることを特徴とする、請求項１に記載のブロックデッキ。
【請求項７】
前記骨格材はスライディング方式で嵌められて結合されることを特徴とする、請求項６に記載のブロックデッキ。
【請求項８】
前記骨格材は中空部に向かって複数の突起部を形成することを特徴とする、請求項１に記載のブロックデッキ。
【請求項９】
前記骨格材の厚さは４〜８ｍｍの範囲であることを特徴とする、請求項１に記載のブロックデッキ。
【請求項１０】
内部に中空を形成している骨格材と、
前記骨格材の一面に付着される天然木材又は合成木材の材質の外装板と、
前記中空に充填される発泡コンクリート材質の充填材と、を含むブロックデッキ。
【請求項１１】
前記コンクリートは発泡率が０〜５０％の範囲であることを特徴とする、請求項１０に記載のブロックデッキ。
【請求項１２】
前記骨格材は天然木材、合成木材、合成樹脂から選ばれる一つの材質であることを特徴とする、請求項９に記載のブロックデッキ。
【請求項１３】
前記骨格材は中空部に向かって複数の突起部を形成することを特徴とする、請求項１０に記載のブロックデッキ。
【請求項１４】
前記骨格材の厚さは４〜８ｍｍの範囲であることを特徴とする、請求項１０に記載のブロックデッキ。
【発明の詳細な説明】
【技術分野】
【０００１】
本発明は、建築物の内装又は外装材料として使用されるブロックデッキに関し、より詳細には、内部に中空を形成し、中空をコンクリートで充填することによって優れた強度を示し、前記コンクリートを発泡させることによって軽量化を達成するブロックデッキに関する。
【背景技術】
【０００２】
一般に、建築物の仕上げ材としては、天然石材、人造石材、天然木材、合成木材などの材料が使用される。
【０００３】
仕上げ材で要求される品質としては、基本的に、美麗な外観、優れた強度、可能な限りの軽量化などがある。
【０００４】
仕上げ材は、使用者の身体に直接又は間接的に接触するので、外観の触感、感じなどの感性品質が非常に重要な要素である。
【０００５】
天然石材、人造石材などは滑らかな表面を有し、表面硬度が高いためスクラッチがあまり発生しないという長所を有する一方、価格が比較的高く、触感が冷たく、衝撃に弱いという短所を有している。
【０００６】
天然木材、合成木材などは触感が暖かく、外観が美麗であるため、建築物の内装仕上げ材として広く使用されているが、木材の過度な使用は地球環境保護の側面で望ましくなく、かつ、価格が高いという短所を有していた。
【発明の概要】
【発明が解決しようとする課題】
【０００７】
本発明の目的は、美麗な外観を有し、軽量な内・外装材用のブロックデッキを提供することにある。
【０００８】
本発明の他の目的は、強度に優れ、原価節減を促進するブロックデッキを提供することにある。
【課題を解決するための手段】
【０００９】
このような目的を達成するための本発明は、内部に中空を形成している骨格材と、前記中空に充填されるコンクリート材質の充填材とを含むブロックデッキを提供する。
【００１０】
前記発泡コンクリートは、発泡率が０％〜５０％の範囲であることが望ましく、前記骨格材は、天然木材、合成木材、合成樹脂から選ばれる一つの材質であることが望ましい。
【００１１】
前記骨格材は、一体型で形成したり、２個又はそれ以上に分割形成して結合することができ、スライディング方式で嵌めて結合することが望ましい。
【００１２】
充填材と骨格材との付着力を増加させるために、前記骨格材は中空部に向かって複数の突起部を形成することが望ましい。
【００１３】
そして、本発明は、内部に中空を形成している骨格材と、前記骨格材の一面に付着される天然木材又は合成木材の材質の外装板と、前記中空に充填されるコンクリート材質の充填材とを含むブロックデッキを提供する。
【００１４】
前記コンクリートは、発泡率が０％〜５０％の範囲であることが望ましく、前記骨格材は、天然木材、合成木材、合成樹脂から選ばれる一つの材質で形成することができ、前記骨格材は、中空部に向かって複数の突起部を形成することが望ましい。
【発明の効果】
【００１５】
本発明に係るブロックデッキは、木材又は合成木材の材質の外観を有し、内部にコンクリートが充填されるため、優れた強度を有するという効果をもたらす。
【００１６】
また、本発明に係るブロックデッキは、木材に比べて低廉な原価を有する発泡コンクリートを内部に充填するため、ブロックデッキの製作原価を節減するという効果をもたらす。
【図面の簡単な説明】
【００１７】
【図１】本発明の第１の実施例に係るブロックデッキの骨格材を示した斜視図である。
【図２】本発明の第１の実施例に係るブロックデッキの骨格材の内部に充填材が充填された状態を示した斜視図である。
【図３】本発明の第２の実施例に係るブロックデッキの斜視図である。
【図４】本発明の第３の実施例に係るブロックデッキの骨格材の分離斜視図である。
【図５】本発明の第３の実施例に係るブロックデッキの骨格材の斜視図である。
【図６】本発明の実施例に係るブロックデッキの骨格材の一部拡大斜視図である。
【図７】本発明の実施例に係るブロックデッキの骨格材の一部拡大斜視図である。
【発明を実施するための形態】
【００１８】
以下、添付の図面を参照して本発明の発泡コンクリートを用いたブロックデッキについて説明する。
【００１９】
本発明の長所及び特徴、そして、それらを達成する方法は、添付の図面と共に詳細に説明する、各実施例を参照すれば明確になるだろう。しかし、本発明は、以下で開示する各実施例に限定されるものではなく、互いに異なる多様な形態で具現可能である。ただし、本実施例は、本発明の開示を完全にし、本発明の属する技術分野で通常の知識を有する者に発明の範囲を完全に知らせるために提供されるもので、本発明は、請求項の範囲によって定義されるものに過ぎない。明細書全体にわたって同一の参照符号は同一の構成要素を称する。
【００２０】
また、図面で発明を構成する各構成要素の大きさは、明細書の明確性のために誇張して記述したもので、一つの構成要素が他の構成要素の「内部に存在したり、連結されて設置される」と記載されている場合は、前記一つの構成要素を前記他の構成要素と接するように設置することができ、所定の離隔距離を置いて設置することもできる。また、離隔距離を置いて設置される場合は、前記一つの構成要素を前記他の構成要素に固定・連結するための第３の手段に対する説明を省略することもできる。
【００２１】
図１は、本発明の第１の実施例に係るブロックデッキの骨格材を示した斜視図で、図２は、本発明の第１の実施例に係るブロックデッキの骨格材の内部に充填材が充填された状態を示した斜視図である。
【００２２】
図示したように、本発明の第１の実施例に係るブロックデッキは、一面に外装面を形成する骨格材１００と、前記骨格材１００の内部の中空１０２に充填される充填材２００とを含む。
【００２３】
骨格材１００の一側表面である外装面１１０は、ブロックデッキの施工時に外部に露出する面であって、滑らかな表面を有したり、陰刻又は陽刻のパターンを形成することもできる。
【００２４】
第１の実施例に係るブロックデッキ１０は、外装面１１０が骨格材１００と一体に形成されたタイプであって、骨格材１００全体が単一材質からなる。骨格材１００をなす材質としては、合成木材、天然木材、合成樹脂などを使用することができる。
【００２５】
ここで、合成木材は、ポリオレフィン、ポリプロピレン、ＡＢＳ、ＰＶＣなどの汎用プラスチックと、木粉、籾殻などの天然材料とが高温で混合・溶融されて押出される板材から選ぶことができる。
【００２６】
合成木材を用いて骨格材１００を製造する場合、骨格材の形状に対応する成形空間を備える型枠を設けて、骨格材１００の形態で圧着する方式で成形したり、射出する方式で成形したりすることができる。
【００２７】
天然木材を用いて骨格材１００を製造する場合、木材を削ったり接合したりして骨格材１００の形態に形成することができる。
【００２８】
また、合成樹脂としては、ポリ塩化ビニル、ポリエチレン、ポリプロピレン、ポリエステル、不飽和ポリエステル、ポリアミド、ポリスチレン、ポリウレタン、ポリカーボネート、アクリロニトリル―ブタジエン―スチレン共重合体（ＡＢＳ）及びポリ乳酸から選ばれる一つ以上の合成樹脂を含むことができる。
【００２９】
合成樹脂で骨格材を製造する場合、押出方式を用いて骨格材１００を連続的に製造し、必要な長さに切断して使用することができる。
【００３０】
図示した実施例の場合、外装面１１０が骨格材１００と一体に形成されているが、外装面１１０は別途の材質を付着することもできる。特に、骨格材１００を合成樹脂で形成する場合、外装面１１０は、天然木材又は合成木材の材質の外装板を別途に形成して付着する方式で形成することができる。
【００３１】
骨格材１００の内部には中空を分割する隔壁１２０を形成することができる。ブロックデッキ１０が広い幅を有する場合、中空１０２を複数に分割するために複数の隔壁１２０を形成することができる。
【００３２】
骨格材１００の中空１０２は充填材２００で充填されるが、このとき、充填材２００としては発泡コンクリートを使用することが望ましい。充填材２００としては、外部に露出しないもので、低廉な価格と優れた強度を有する発泡コンクリート材質を使用する。
【００３３】
発泡コンクリートは、アルミニウム粉などを混合することによって無数の気泡が発生するように製造した板状のコンクリートであって、軽くて水によく浮き、断熱性・防音性に優れるという特性を有する。
【００３４】
使用される発泡コンクリートの発泡率は０％〜５０％の範囲であることが望ましい。発泡率は強度と重量に影響を及ぼすが、発泡率が０％であることは、一般コンクリートであることを意味する。発泡率が高いほど全体の重量が減少するという長所があるが、発泡率が高いほど強度が弱くなるので、発泡率は５０％以下であることが望ましい。発泡率が５０％を超える場合、要求強度を満足させないという問題がある。
【００３５】
また、骨格材の厚さｔは４〜８ｍｍの範囲であることが望ましい。骨格材の厚さが４ｍｍ未満であると、骨格材の強度が脆弱なため破損の恐れがあり、骨格材の厚さが８ｍｍを超えると、木材節減の効果がなくなる。木材の厚さが４〜８ｍｍの範囲であると、木材の質感を十分に感じることができるので、８ｍｍを超える厚さで形成する必要はない。
【００３６】
図３は、本発明の第２の実施例に係るブロックデッキの斜視図である。
【００３７】
図３に示した第２の実施例は、骨格材に外装板を別途に形成して付着した形態を示す。
【００３８】
図示したように、骨格材１００の一面に外装板１５０を別途の部材で形成して付着した形態である。第２の実施例の場合、骨格材１００自体が外部に露出することはないので、骨格材１００として合成樹脂材質を使用することができ、外装板１５０のみを天然木材又は合成木材の材質で形成して付着することができる。
【００３９】
外装板１５０を別途に付着する場合、作業工数は増加するが、実質的に外部に露出する部分のみを木材で形成することができ、木材の使用を減少できるという効果をもたらす。
【００４０】
図４は、本発明の第３の実施例に係るブロックデッキの骨格材の分離斜視図で、図５は、本発明の第３の実施例に係るブロックデッキの骨格材の斜視図である。
【００４１】
骨格材１００は、外装面を含む上部骨格材１００ａと、残りの部分を含む下部骨格材１００ｂとに分割形成し、これらを結合して一つの骨格材１００を形成する構造を提供する。
【００４２】
このとき、上部骨格材１００ａと下部骨格材１００ｂは、スライディング嵌め方式で結合することによって、別途の接着剤などを使用しなくても容易に骨格材を組み立てられるようにすることが望ましい。
【００４３】
図示したように、上部骨格材１００ａと下部骨格材１００ｂは互いにスライディング嵌め方式で結合できるように、互いに当接する側面及び隔壁部分に嵌め突起１５２と嵌め溝１５４を形成している。互いの嵌め突起１５２と嵌め溝１５４が噛み合って結合され、内部に充填材２００が充填されると、より堅固に一つの部材に結合される。
【００４４】
図６及び図７は、本発明の実施例に係るブロックデッキの骨格材の一部拡大斜視図である。
【００４５】
図６は、突起部６０がドット状に形成された形態の実施例を示し、図７は、突起部７０が直線のリブ状に形成された形態の実施例を示したものである。
【００４６】
図示したように、骨格材の内部面に突起を備えることによって充填材２００（図１）と骨格材１００との結合力を増加させることが望ましい。充填材２００は、骨格材１００の内部中空１０２に発泡される方式で充填されるので、骨格材１００の中空部の表面に突起部６０、７０を形成すると、骨格材と充填材との結合力が増加するようになる。
【００４７】
以上、添付の図面を参照して本発明の各実施例を説明したが、本発明は、前記各実施例に限定されるものでなく、互いに異なる多様な形態で製造することができ、本発明の属する技術分野で通常の知識を有する者であれば、本発明の技術的思想や必須的特徴を変更せずとも他の具体的な形態で実施され得ることが理解できると考える。そのため、以上記述した各実施例は、全ての面で例示的なものであって、限定的なものでないことを理解しなければならない。
【図１】
2013527347.tif 000003
【図２】
2013527347.tif 000004
【図３】
2013527347.tif 000005
【図４】
2013527347.tif 000006
【図５】
2013527347.tif 000007
【図６】
2013527347.tif 000008
【図７】
2013527347.tif 000009
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
内部に中空を形成している骨格材と、
前記中空に充填されるコンクリート材質の充填材と、を含むブロックデッキ。
【請求項２】
前記コンクリートは発泡率が０〜５０％の範囲であることを特徴とする、請求項１に記載のブロックデッキ。
【請求項３】
前記骨格材は天然木材、合成木材、合成樹脂から選ばれる一つの材質であることを特徴とする、請求項１に記載のブロックデッキ。
【請求項４】
前記合成木材はポリオレフィン、ポリプロピレン、ＡＢＳ、ＰＶＣから選ばれるプラスチックに、木粉又は籾殻が高温で混合・溶融されて押出形成されることを特徴とする、請求項３に記載のブロックデッキ。
【請求項５】
前記骨格材は一体型で形成されることを特徴とする、請求項１に記載のブロックデッキ。
【請求項６】
前記骨格材は２個又はそれ以上に分割形成されて結合されることを特徴とする、請求項１に記載のブロックデッキ。
【請求項７】
前記骨格材はスライディング方式で嵌められて結合されることを特徴とする、請求項６に記載のブロックデッキ。
【請求項８】
前記骨格材は中空部に向かって複数の突起部を形成することを特徴とする、請求項１に記載のブロックデッキ。
【請求項９】
前記骨格材の厚さは４〜８ｍｍの範囲であることを特徴とする、請求項１に記載のブロックデッキ。
【請求項１０】
内部に中空を形成している骨格材と、
前記骨格材の一面に付着される天然木材又は合成木材の材質の外装板と、
前記中空に充填される発泡コンクリート材質の充填材と、を含むブロックデッキ。
【請求項１１】
前記コンクリートは発泡率が０〜５０％の範囲であることを特徴とする、請求項１０に記載のブロックデッキ。
【請求項１２】
前記骨格材は天然木材、合成木材、合成樹脂から選ばれる一つの材質であることを特徴とする、請求項１０に記載のブロックデッキ。
【請求項１３】
前記骨格材は中空部に向かって複数の突起部を形成することを特徴とする、請求項１０に記載のブロックデッキ。
【請求項１４】
前記骨格材の厚さは４〜８ｍｍの範囲であることを特徴とする、請求項１０に記載のブロックデッキ。
【国際調査報告】
2013527347.tif 000010
2013527347.tif 000011
2013527347.tif 000012
2013527347.tif 000013